(57)【要約】      （修正有）【課題】ある程度の水深と流速がある河川や水路があれば、橋げたや橋の手すりや川岸の木立や岸辺の杭にロープ等で固定した発電機と、繊維ロープや金属ロープや丸棒を介して接続した回転体を、河川や水路の流に投入する事により、水深の増減や流れのカーブに対応して発電出来る事を特徴とする。【解決手段】発電機Ａをロープ等で橋げたや橋の手すりや川岸の木立や岸辺の杭に固定し、柔軟性を有する繊維ロープＢや金属ロープＢを介して、発電機と回転体２ａや２ｂを接続して、回転体を河川や水路の流に投入し回転させて発電する。又、発電機の固定方向と水中に流した回転体の角度が、繊維ロープや金属ロープの柔軟性能の範囲を越える時や、剛体の丸棒を使用する場合、発電機と回転体の中間に回転ジョイントを接続して、水深の大幅な増減や流れのカーブの強い流れに対応させて、水中に投入した回転体を回転させて発電する。【選択図】図１
2012052517.tif 000002
【特許請求の範囲】
【請求項１】
陸上にロープ等で固定した発電機（Ａ）と河川や水路の流に投入して回転させる回転体（２ａ）や（２ｂ）を、柔軟性を有する繊維ロープ（Ｂ）や金属ロープ（Ｂ）を介して接続する事により、河川や水路の流に投入した回転体が水深の増減やカーブに対応してスムースに回転して発電出来る事を特徴とする。
簡易設置水力発電装置（１ａ）
【請求項２】
陸上にロープ等で固定した発電機（Ａ）と柔軟性を有する繊維ロープ（Ｂ）や金属ロープ（Ｂ）を介して接続した回転体（２ａ）や（２ｂ）を、水路及び河川水深の増減やカーブの流れの角度が、各種ロープの柔軟性能の範囲を越えて回転体の回転を阻害する場合や、剛体の丸棒（Ｂ）を使用する時は、発電機と回転体の中間に回転ジョイント（Ｃ）を接続する事により、流に投入した回転体がスムースに回転する事を特徴とする。
請求項１記載の構造を持った、回転ジョイント付き簡易設置水力発電装置（１ｂ）
【請求項３】
陸上にロープ等で固定した発電機（Ａ）と柔軟性を有する繊維ロープ（Ｂ）や金属ロープ（Ｂ）や剛体の丸棒（Ｂ）を介して接続した、河川や水路の流に投入する回転体（２ａ）は連続した螺旋形状の構造を使用できる為、流木や転石によって破壊されずらいので、回転体の保護構造物が必要でない事を特徴とする。
請求項１記載の構造を持った、螺旋形回転体（２ａ）
【請求項４】
陸上にロープ等で固定した発電機（Ａ）と柔軟性を有する繊維ロープ（Ｂ）や金属ロープ（Ｂ）や剛体の丸棒（Ｂ）を介して接続した回転体を、人口水路の流れに投入する場合、自然河川と違い流木や転石が流れてこないので、水流を有効利用する為、ロープにスクリュウの羽根を複数個連続固定したタービン形を特徴とする。
請求項１記載の構造を持った、タービン形回転体（２ｂ）
【発明の詳細な説明】
【発明の詳細な説明】
【産業上の利用分野】
【０００１】  本発明の簡易設置水力発電装置（１ａ）や（１ｂ）は、陸上にロープ等で固定出来る発電機（Ａ）と柔軟性を有する繊維ロープ（Ｂ）や金属ロープ（Ｂ）や剛体の丸棒（Ｂ）や回転ジョイント（Ｃ）を介して、回転体（２ａ）や（２ｂ）に接続して、河川や水路の流に回転体を投入し、回転させて発電するので、この発電装置の設置には工事らしい工事を必要とせず、発電機に既存の自動車用オルタネーターを使用出来るので、安上がりで入手も簡単なので、ある程度の水深と流速を有する河川や水路があるれば、一本の河川や水路に此の装置を連続的に何台も投入する事により、相当量の発電が出来るので、発電設備の無い地域やクリーンエネルギーを求められる先進国や発展途上国の要求に応えられる。
【背景技術】
【０００２】従来、大規模の水力発電ではダムを建設して発電を行なっている。
又、小規模水力発電はダム程ではないが土木工事をして発電を行なっている。
又、水車発電は河川や水路に固定設置工事をして発電を行なっている。
又、発電機の入ったポッドに直接スクリュウを組み付けた水中発電機は、河川や水路に固定設置工事をして発電を行なっている。
【本発明が解決しようとする課題】
【０００３】  従来、大規模の水力発電ではダムを建設しなければ成らず多額な金額を要し、又、関係住民の了解を取り付けるのに何年、何十年もの年月を要した。
最近増えつつある小規模水力発電であっても、水流に相当な落差が必要なため立地条件が難しく、ダム建設程ではないが大掛かりな土木工事が必要で相当工事金額がかさんでいた。
水車を使用した発電は、水車の立地条件が難しい上、水車の建造費と設置工事費に多額な費用がかさみ、発電量を考えたらモニュメント以外は、経済的にまったくコストが合わなかった。
発電機の入ったポッドに直接スクリュウを組み付けた水中発電機の場合、船舶やフロートに固定する海中と違い、河川や水路に設置出来る場所は限られ、設置工事も大掛かりに成り、又水深の増減に対応が難しい上、流木や転石に対して無防備で破壊されやすい、
【問題点を解決するための手段】
【０００４】上記の課題を解決する手段は次のような手段である。
本発明の簡易設置水力発電装置（１ａ）や（１ｂ）は、ある程度の水深と流速がある河川や水路が存在すれば、発電機（Ａ）を陸上の橋げたや橋の手すりや川岸の立木や岸辺の杭にロープ等で固定して、発電機と回転体を柔軟性を有する繊維ロープ（Ｂ）や金属ロープ（Ｂ））を介して回転体（２ａ）や（２ｂ）に接続して、回転体を河川や水路の流に投入して回転させる事により、柔軟性を有する繊維ロープや金属ロープの性能によって、回転体は河川水深の増減や流れのカーブに柔軟に対応する事で回転して発電出来る。
又、発電機の固定方向と、水路や河川水深の大幅な増減やカーブの強い流に投入した回転体の角度が繊維ロープや金属ロープの柔軟性能の範囲をこえる場合や剛体の丸棒を使用する時は、発電機と回転体の中間に回転ジョイント（Ｃ）を接続して回転体を流に投入して回転させて発電する装置なので、前記のとうり簡易設置水力発電装置の設置には工事らしい工事を必要とせず、発電機に既存の自動車用オルタネーターを使用出来るので、安上りだし入手も簡単なので、一本の流れに此の装置を連続的に何台も投入する事により、相当量の発電が出来る。
【作用】
【０００５】  次に本発明の作用を述べる、本発明の簡易設置水力発電装置（１ａ）や（１ｂ）は、ある程度の水深と流速を有する河川や水路があれば、発電機（Ａ）を陸上にロープ等で固定し、発電機と回転体（２ａ）又は（２ｂ）を柔軟性を有する繊維ロープ（Ｂ）や金属ロープ（Ｂ）を介して接続して、回転体を河川や水路の流に投入して回転させる事によって発電する装置なので、柔軟性を有する繊維ロープや金属ロープの性能により、水路や河川水深の増減や流れのカーブに柔軟に対応して発電する。
又、発電機の固定方向と、より水深の増減やカーブの強い流に投入した回転体の角度が、繊維ロープや金属ロープの柔軟性能の範囲を越えたり剛体の丸棒（Ｂ）を使用する場合は、発電機と回転体の中間に回転ジョイント（Ｃ）を接続する事により、流に投入した回転体を回転させて発電する装置なので、水力発電装置の設置には、工事らしい工事を必要とせず、発電機に既存の自動車用オルタネーターを使用出来るので、安上がりだし入手も簡単なので、一本の河川や水路に此の装置を連続的に何台も投入する事により、相当量の発電をする事が出来る。
【実施例】
【０００６】  以下図面を参照して、本発明の簡易設置水力発電装置（１ａ）や（１ｂ）は、ある程度の水深と流速を有する河川や水路に、発電機（Ａ）を橋げたや橋の手すりや川岸の立木や岸辺の杭にロープ等で固定し、発電機と回転体（２ａ）や（２ｂ）を柔軟性を有する繊維ロープ（Ｂ）や金属ロープ（Ｂ）を介して接続し、河川や水路の流れに投入して回転体を回転させて発電させる装置なので、柔軟性を有する繊維ロープや金属ロープの性能によって、水路及び河川水深の増減や流れのカーブに柔軟に対応出来て回転体を回転させて発電する。
又、発電機の固定方向と、水路及び河川水深の増減やカーブの強い流に投入した回転体の角度が、繊維ロープ又は金属ロープの柔軟性能の範囲を越えたり剛体の丸棒（Ｂ）を使用する場合は、発電機と回転体の中間に回転ジョイント（Ｃ）を接続して、回転体を回転させて発電する。
【発明の効果】
【０００７】  本発明の簡易設置水力発電装置は、陸上に固定する発電装置の設置が簡単で、回転体は水路や河川の水深の増減や流れのカーブに柔軟に対応出来るので、工事らしい工事を必要とせず、発電機に既存の自動車用オルタネーターを使用出来るので、製造コストは安上りだし入手も簡単なので、日本にかぎらず、ある程度の水深と流速を有する河川や水路がある所では、一本の河川や水路に、此の装置を連続的に何台も投入する事により、相当量の発電をする事が出来る。
故に発電設備の無い地域やクリーンエネルギーを求められる先進国や発展途上国にも極めて有効である。
【図面の簡単な説明】
【図１】本発明の簡易設置水力発電装置（１ａ）の斜視図
【図２】本発明の回転ジョイント付き簡易設置水力発電装置（１ｂ）の斜視図
【図３】本発明の回転ジョイント付き簡易設置水力発電装置（１ｂ）の斜視図
【図４】本発明の螺旋形回転体（２ａ）の斜視図
【図５】本発明のタービン形回転体（２ｂ）の斜視図
【図６】従来の小規模水力発電装置の実写と側面図
【符号の説明】Ａは発電機
Ｂは繊維ロープ、金属ロープ、丸棒
Ｃは回転ジョイント
１ａは簡易設置水力発電装置
１ｂは回転ジョイント付き簡易設置水力発電装置
２ａは螺旋形回転体
２ｂはタービン形回転体
【図１】
2012052517.tif 000003
【図２】
2012052517.tif 000004
【図３】
2012052517.tif 000005
【図４】
2012052517.tif 000006
【図５】
2012052517.tif 000007
【図６】
2012052517.tif 000008